(57)【要約】【課題】照明器具の高さを抑えつつ、径を小さくした照明器具を提供すること。【解決手段】照明器具は、光を発する光源と、光源に電力を供給する少なくとも１つの電源装置と、光源を保持する光源支柱が形成されているとともに、電源装置を保持するケースと、を備え、電源装置は、光源とケースとの間に配置され、かつ、光源と平面視にて重なる位置に配置されるものである。【選択図】図７
2019102369.tif 000002
【特許請求の範囲】
【請求項１】
光を発する光源と、
前記光源に電力を供給する少なくとも１つの電源装置と、
前記光源を保持する光源支柱が形成されているとともに、前記電源装置を保持するケースと、
を備え、
前記電源装置は、
前記光源と前記ケースとの間に配置され、かつ、前記光源と平面視にて重なる位置に配置される照明器具。
【請求項２】
前記光源支柱は、
前記電源装置の一部が挿入される切り欠き部が形成された側壁部を有する請求項１に記載の照明器具。
【請求項３】
前記電源装置は、
前記電源装置が配置されるケース底面部と垂直な方向において、前記ケース底面部から最も離れた面を構成する第１天面部と、
前記第１天面部の周囲に形成され、前記ケース底面部と垂直な方向において、前記ケース底面部と前記第１天面部との間に位置する第２天面部と、
を有し、
前記第２天面部の一部が前記光源と平面視にて重なる位置に配置される請求項１または請求項２に記載の照明器具。
【請求項４】
前記電源装置は、
前記第２天面部の一部が、前記光源支柱の前記切り欠き部に挿入されて配置されている請求項２に従属する請求項３に記載の照明器具。
【請求項５】
前記光源支柱の側壁部は、平面視で、円弧状に形成された曲面部と直線状に形成された平板部とを有し、
前記電源装置は、前記光源支柱の前記平板部と接するように前記ケースに取り付けられている請求項１〜３のいずれか１項に記載の照明器具。
【請求項６】
前記光源支柱の側壁部は、平面視で、円弧状に形成された曲面部と直線状に形成された平板部とを有し、
前記少なくとも１つの電源装置は、複数の電源装置を備えており、
前記複数の電源装置のうち少なくとも１つの電源装置は、
前記第２天面部の一部が、前記光源支柱の前記切り欠き部に挿入されて配置されており、
前記複数の電源装置のうち他の少なくとも１つの電源装置は、
前記光源支柱の前記平板部と接するように前記ケースに取り付けられている請求項２に従属する請求項３に記載の照明器具。
【請求項７】
前記第２天面部は、前記ケース底面部に対して斜面を形成している請求項３、請求項４、請求項６のいずれか１項に記載の照明器具。
【請求項８】
前記電源装置は、発熱部品を有し、
前記発熱部品は、前記光源及び前記光源支柱とは平面視にて重ならない位置に配置されている請求項１〜７のいずれか１項に記載の照明器具。
【請求項９】
前記光源は、平面視で円形状に形成されており、
前記発熱部品は、前記光源支柱の側壁部から前記光源の半径の長さ以上に離して配置されている請求項８に記載の照明器具。
【発明の詳細な説明】
【技術分野】
【０００１】
本発明は、照明器具に関するものである。
【背景技術】
【０００２】
従来より、円形の照明器具において、照明器具の高さを抑えて薄型に構成するために、電源ユニットを本体の反射面の反対側の面に配置し、かつ、平面視にて光源と重ならない位置に配置する照明器具が提案されている（例えば、特許文献１）。
【先行技術文献】
【特許文献】
【０００３】
【特許文献１】特開２０１５−７６３３３号公報
【発明の概要】
【発明が解決しようとする課題】
【０００４】
特許文献１の照明器具は、照明器具を径方向に小型化しようとすると、内蔵部品を取り付ける設置空間の制約がある。
【０００５】
本発明は、上記のような課題を解決する為になされたもので、照明器具の高さを抑えつつ、径を小さくした照明器具を提供するものである。
【課題を解決するための手段】
【０００６】
本発明に係る照明器具は、光を発する光源と、光源に電力を供給する少なくとも１つの電源装置と、光源を保持する光源支柱が形成されているとともに、電源装置を保持するケースと、を備え、電源装置は、光源とケースとの間に配置され、かつ、光源と平面視にて重なる位置に配置されるものである。
【発明の効果】
【０００７】
本発明の照明器具は、電源装置が、光源とケースとの間に配置され、かつ、光源と平面視にて重なる位置に配置されることにより、照明器具の高さを抑えつつ、照明器具の径を小さくすることができる。
【図面の簡単な説明】
【０００８】
【図１】本発明の実施の形態１に係る照明器具を示す斜視図である。
【図２】本発明の実施の形態１に係る照明器具を示す側面図である。
【図３】本発明の実施の形態１に係る照明器具を示す分解斜視図である。
【図４】本発明の実施の形態１に係る照明器具を示す分解斜視図である。
【図５】本発明の実施の形態１に係る照明器具の光源モジュールの配置を示す分解斜視図である。
【図６】図５の光源モジュールの分解斜視図である。
【図７】本発明の実施の形態１に係る照明器具を示す図２のＡ−Ａ線断面図である。
【図８】本発明の実施の形態１に係る照明器具を示す図７のＢ−Ｂ線断面図である。
【図９】本発明の実施の形態１に係る照明器具を示す図７のＣ−Ｃ線断面図である。
【発明を実施するための形態】
【０００９】
以下、本発明の実施の形態に係る照明器具１００について、図面を参照しながら説明する。なお、図１を含む以下の図面では、各構成部材の相対的な寸法の関係及び形状等が実際のものとは異なる場合がある。また、以下の図面において、同一の符号を付したものは、同一又はこれに相当するものであり、このことは明細書の全文において共通することとする。また、理解を容易にするために方向あるいは位置を表す用語（例えば「上」、「下」、「右」、「左」、「前」、「後」など）を適宜用いる。しかし、これらの表記は、説明の便宜上、そのように記載しているだけであって、装置あるいは部品の配置及び向きを限定するものではない。
【００１０】
実施の形態１．
図１は、実施の形態１に係る照明器具１００を示す斜視図である。図２は、実施の形態１に係る照明器具１００を示す側面図である。図３は、本発明の実施の形態１に係る照明器具１００を示す分解斜視図である。まず、図１〜図３を参照して、本発明の実施の形態１に係る照明器具１００の全体構成を説明する。
【００１１】
［照明器具１００］
照明器具１００は、図１及び図２に示すように、円筒形状に構成されている。照明器具１００は、カバー１０と、ケース２０とを備える。照明器具１００の以下の説明において、円筒形状に構成された照明器具１００の径方向を径方向Ｒと称し、径方向Ｒを構成する面と直交する方向を上下方向Ｚとする。また、照明器具１００が取り付けられる天井などの被取付面側を上方向Ｚ１とし、上方向Ｚ１と反対方向であり、照明器具１００による光の照射側を下方向Ｚ２とする。なお、以下の説明では、特別の指定がない限り、「平面視」とは、照明器具１００の下方向Ｚ２側から、照明器具１００を上方向Ｚ１に見た状態をいう。
【００１２】
（カバー１０）
カバー１０は、図３に示すように、ケース２０に設置された光源モジュール３０を覆う。カバー１０は、例えば、ガラス製である。なお、カバー１０は、ガラス製に限定されるものではなく、樹脂など他の部材で構成されてもよい。カバー１０は、光源モジュール３０から発せられる光を、透過させ、拡散させ、または、透過及び拡散させる。カバー１０は、上方向Ｚ１が開口した有底の円筒形状に形成されており、図３に示すように、環状のカバー周壁部１１と、平面視で円形状のカバー正面部１２とから構成されている。カバー１０には、落下防止チェーン５１の一端が取り付けられる。落下防止チェーン５１の他端は、ケース２０に固定されている。
【００１３】
カバー１０は、上下方向Ｚにおいて、カバー周壁部１１の一方の端部１１ａに、カバー正面部１２が位置しており、他方の端部１１ｂがカバー１０の開口を形成している。カバー周壁部１１の端部１１ｂの外周壁には雄ねじ１３が形成されている。カバー１０に形成された雄ねじ１３が、ケース２０に形成された雌ねじ２３にねじ止めされることにより、カバー１０はケース２０に固定される。カバー１０の雄ねじ１３にはリング状のカバーパッキン１４が取り付けられている。カバーパッキン１４はＯリングであり、カバー１０及びケース２０内への水及び埃の浸入を抑制する。
【００１４】
カバー正面部１２は、平面視で円形状に形成されており、図２に示すように、縦断面視で円の周縁部から中心部に向かって緩やかな凸状に形成されている。なお、カバー正面部１２は、縦断面視で円の周縁部から中心部に向かって緩やかな凸状に形成されるものに限定されるものではなく、例えば、縦断面視で円の周縁部から中心部に向かって緩やかに凹状に形成されてもよく、平坦状に形成されてもよい。
【００１５】
（ケース２０）
図４は、本発明の実施の形態１に係る照明器具１００を示す分解斜視図である。図５は、本発明の実施の形態１に係る照明器具１００の光源モジュール３０の配置を示す分解斜視図である。照明器具１００は、図４及び図５に示すように、カバー１０とケース２０とで構成される内部空間に、光源モジュール３０と、電源４０と、非常用点灯装置４２とを備える。また、照明器具１００は、図４及び図５に示すように、カバー１０とケース２０とで構成される内部空間に、バッテリ４１と、電源端子台４３と、点検モニタ４４と、点検スイッチ４５とを備える。光源モジュール３０、電源４０、バッテリ４１、非常用点灯装置４２、電源端子台４３、点検モニタ４４および点検スイッチ４５は、それぞれケース２０に保持される。また、照明器具１００は、図３及び図４に示すように、目隠し板５０を備える。目隠し板５０は、ケース２０に取り付けられる。なお、光源モジュール３０は、本発明の「光源」に相当する。また、電源４０及び非常用点灯装置４２は、本発明の「電源装置」に相当する。
【００１６】
ケース２０は、例えば、樹脂製である。なお、ケース２０は、樹脂製に限定されるものではなく、金属など他の部材で構成されてもよい。ケース２０は、下方向Ｚ２が開口した有底の円筒形状に形成されており、図４に示すように、環状のケース周壁部２１と、円形板状のケース底面部２２とから構成されている。
【００１７】
ケース２０は、上下方向Ｚにおいて、ケース周壁部２１の一方の端部２１ａに、ケース底面部２２が位置しており、他方の端部２１ｂがケース２０の開口を形成している。ケース周壁部２１の端部２１ｂの内周壁には雌ねじ２３が形成されている。ケース２０に形成された雌ねじ２３が、カバー１０に形成された雄ねじ１３をねじ止めすることにより、カバー１０はケース２０に固定される。
【００１８】
ケース底面部２２は、円形板状に形成されており、一方の面には、電源４０、バッテリ４１、非常用点灯装置４２、電源端子台４３、点検モニタ４４および点検スイッチ４５が配置されている。また、ケース２０のケース底面部２２には、図５に示すように、光源支柱２４と、目隠し板支柱２５とが形成されている。ケース底面部２２の他方の面は、照明器具１００が天井又は壁などの被取付面に取り付けられている際には、天井又は壁などの被取付面と対向する。
【００１９】
図４及び図５に示すように、光源支柱２４の先端部には、光源モジュール３０が固定される。光源支柱２４は、光源モジュール３０をケース２０のケース底面部２２よりも高い位置に保持する。光源支柱２４は、円形板状に形成されたケース底面部２２の中心部分から突出しており、略円筒形状に形成されている。光源支柱２４の突出方向は、光源モジュール３０の照射方向に突出する。なお、光源支柱２４は、ケース底面部２２と垂直な方向（Ｚ軸方向）に突出することが望ましい。光源支柱２４の側壁部２４ａには、光源支柱２４の突出方向に沿って、押さえ板支柱２６が設けられている。押さえ板支柱２６の先端部には、後述する光源モジュール３０の押さえ板３３を固定するねじが固定される。押さえ板支柱２６の先端部に光源モジュール３０の押さえ板３３がねじ止めされることで、光源支柱２４の先端部に、光源モジュール３０が固定される。押さえ板支柱２６は、光源支柱２４の側壁部２４ａと一体に形成されている。押さえ板支柱２６は、光源支柱２４の周方向において、２つ設けられているが、１つ又は３つ以上設けられていてもよい。押さえ板支柱２６は、光源支柱２４を補強するリブの役割も担っている。
【００２０】
目隠し板支柱２５の先端部には、目隠し板５０が固定される。目隠し板支柱２５は、ケース２０の中心部から周縁部への径方向Ｒにおいて、光源支柱２４と、ケース周壁部２１との間に形成されている。目隠し板支柱２５は、ケース底面部２２から光源モジュール３０の照射方向に突出する。なお、目隠し板支柱２５は、ケース底面部２２と垂直な方向（Ｚ軸方向）に突出することが望ましい。目隠し板支柱２５は、円柱形状に形成された基部２５ａと、基部２５ａの先端から突出した六角柱状に形成されたねじ止め部２５ｂとを有する。なお、目隠し板支柱２５は、目隠し板５０を固定するためにケース底面部２２から突出した構成を有していればよい。そのため、目隠し板支柱２５は、基部２５ａが多角柱形状、ねじ止め部２５ｂが円柱形状等、他の形状であってもよい。あるいは、目隠し板支柱２５は、基部２５ａと、ねじ止め部２５ｂとを有するものではなく、例えば、単一構造の円柱形、多角柱形等他の形状であってもよい。
【００２１】
（光源モジュール３０）
図６は、図５の光源モジュール３０の分解斜視図である。光源モジュール３０は、半球状に形成されている。光源モジュール３０は、光を発する。光源モジュール３０は、図６に示すように、ＬＥＤ３１、ソケット３２、押さえ板３３、光源カバー３４とから構成されている。ＬＥＤ３１は、光源であり、ＣＯＢ（Chip on Board）−ＬＥＤ（light‐emitting diode）で構成されている。なお、ＬＥＤ３１は、複数のＬＥＤが配置された基板で構成されていてもよい。ソケット３２は、セラミック製であり、押さえ板３３は、アルミ製である。ソケット３２及び押さえ板３３は、ＬＥＤ３１の熱を放熱させる。ＬＥＤ３１は、ソケット３２と押さえ板３３とに挟持される。ソケット３２は、複数のねじで押さえ板３３にねじ止めされる。押さえ板３３は、円形板状に形成され、押さえ板支柱２６にねじ止めされるねじ止め部３３ａが、円形板状の周縁部から突出している。ＬＥＤ３１は、光源カバー３４に覆われる。ＬＥＤ３１が発する光は、光源カバー３４により拡散される。
【００２２】
光源モジュール３０は、ケース２０の光源支柱２４に保持される。押さえ板３３は、ケース２０の押さえ板支柱２６に形成されたねじ穴にねじで固定される。光源カバー３４も押さえ板支柱２６に形成されたねじ穴に共締めにより固定される。ソケット３２を押さえ板３３に固定するねじで、ＬＥＤ３１を挟持したソケット３２と押さえ板３３とを光源支柱２４に共締めしてもよい。
【００２３】
（目隠し板５０）
図３及び図４に戻り、目隠し板５０は樹脂製の円形板である。目隠し板５０は、電源４０、バッテリ４１、非常用点灯装置４２、電源端子台４３、点検モニタ４４および点検スイッチ４５と、カバー正面部１２との間に配置される。光源モジュール３０は、目隠し板５０の中央部分から突出して露出している。ケース２０に配置される部品の内、光源モジュール３０及び落下防止チェーン５１以外の部品は、目隠し板５０で覆われる。目隠し板５０は、中央に光源モジュール３０を露出させるための光源孔５０ａが形成されている。また、目隠し板５０は、周辺部にネジ等でケース２０の目隠し板支柱２５に固定するためのねじ止め孔５０ｂ、点検モニタ４４のＬＥＤ表示を露出させるためのモニタ孔５０ｃが形成されている。さらに、目隠し板５０は、周辺部に点検スイッチ４５を操作するためのスイッチ孔５０ｄ、周縁部に落下防止チェーン５１を通す切り欠き５０ｅが形成されている。
【００２４】
（照明器具１００内の構成部品の詳細な構成）
図７は、本発明の実施の形態１に係る照明器具１００を示す図２のＡ−Ａ線断面図である。図８は、本発明の実施の形態１に係る照明器具１００を示す図７のＢ−Ｂ線断面図である。図９は、本発明の実施の形態１に係る照明器具１００を示す図７のＣ−Ｃ線断面図である。なお、図９は、ケース２０内の構成部品の配置関係を明確にするために、目隠し板５０及び光源カバー３４を省略している。本発明の実施の形態１に係る照明器具１００は、電源４０及び非常用点灯装置４２が長尺状であり、ケース２０内で大きなスペースを占める。そのため、径方向Ｒにおいて、電源４０又は非常用点灯装置４２をケース２０のケース周壁部２１と光源支柱２４との間に配置した場合、ケース２０の外形を小さくすることが難しくなる。そこで、ケース２０内において、電源４０を光源モジュール３０と平面視で重なる位置に配置することを検討する。
【００２５】
電源４０は、通常時において、光源モジュール３０に電力を供給する電源装置である。電源４０は、略直方体状に形成されている。電源４０は、電源４０が配置されるケース底面部２２と垂直な方向（Ｚ軸方向）において、ケース底面部２２から最も離れた面を構成する第１天面部４０ａを有する。また、電源４０は、第１天面部４０ａの周囲に形成され、ケース底面部２２と垂直な方向（Ｚ軸方向）において、ケース底面部２２と第１天面部４０ａとの間に位置する第２天面部４０ｂを有する。
【００２６】
図７又は図９に示すように、電源４０の形状は完全な直方体ではなく、第２天面部４０ｂを有する。第２天面部４０ｂは、少なくとも電源４０の長手方向に形成されている。第２天面部４０ｂは、ケース底面部２２と第１天面部４０ａとの間に位置しており、ケース底面部２２からの距離が第１天面部４０ａよりも短い。第２天面部４０ｂは、光源モジュール３０と対向する電源側壁部４０ｃと、第１天面部４０ａとの間に形成された、面取りされた角面である。第２天面部４０ｂは、図７に示すように、ケース底面部２２に対して斜面を形成している。なお、第２天面部４０ｂは、角面として形成されているが、丸面として形成されていてもよく、他の種類の面取りで形成されていてもよい。電源４０は、光源モジュール３０と反対側の電源側壁部４０ｃと第１天面部４０ａとの間にも第２天面部４０ｂが形成されていてもよい。
【００２７】
電源４０は、ケース底面部２２と垂直な方向（Ｚ軸方向）に延設され、ケース底面部２２と第２天面部４０ｂとの間に位置し、電源４０の側壁を構成する電源側壁部４０ｃを有する。図７及び図９に示すように、平面視でケース２０の外周縁に位置する第２天面部４０ｂの端縁部４０ｂ１は、電源側壁部４０ｃと連続する。第２天面部４０ｂの端縁部４０ｂ１は、ケース底面部２２と垂直な方向（Ｚ軸方向）において、ケース底面部２２の位置と、押さえ板３３の位置との間に位置する。
【００２８】
照明器具１００は、図７に示すように、ケース底面部２２と垂直な方向（Ｚ軸方向）において、ケース底面部２２からの電源４０の高さ（第１天面部４０ａの位置）は、光源モジュール３０の底面である押さえ板３３が位置する高さよりも高い。照明器具１００は、図８に示すように、光源支柱２４の断面積が、光源モジュール３０の占有面積と同じ面積を占める略円柱とせず、光源支柱２４の側壁部２４ａは、電源４０と接する箇所が距離ｔ１分だけ凹んでいる。光源支柱２４は、図８に示すように、突出方向（Ｚ軸方向）と垂直な断面において、側壁部２４ａに直線部分ＤＥを有している。すなわち、光源支柱２４の側壁部２４ａは、平面視で、円弧状に形成された曲面部２４ｃと直線状に形成された平板部２４ｄとを有している。光源支柱２４は、図７に示すように、平板部２４ｄを有しているため、光源支柱２４の先端部では、平板部２４ｄにおいて、光源モジュール３０の円形板状の押さえ板３３の周縁部が、光源支柱２４からケース２０の径方向に突出している。電源４０は、光源支柱２４の平板部２４ｄと接するようにケース２０に取り付けられている。電源４０と接する箇所の、光源支柱２４の側壁部２４ａが少なくとも距離ｔ１分だけ凹んでおり、光源支柱２４の径は距離ｔ１分だけ細くされている。また、第２天面部４０ｂの端縁部４０ｂ１は、ケース底面部２２と垂直な方向（Ｚ軸方向）において、ケース底面部２２の位置と、押さえ板３３の位置との間に位置する。そのため、照明器具１００は、第１天面部４０ａの位置が押さえ板３３が位置する高さよりも高い電源４０を光源モジュール３０と平面視で重なる位置に配置することができる。
【００２９】
このように、光源支柱２４の側壁部２４ａは、平面視で、円弧状に形成された曲面部２４ｃと直線状に形成された平板部２４ｄとを有している。また、電源４０は、光源支柱２４の平板部２４ｄと接するようにケース２０に取り付けられている。そして、電源４０は、第１天面部４０ａの周囲に形成され、ケース底面部２２と垂直な方向（Ｚ軸方向）において、ケース底面部２２と第１天面部４０ａとの間に位置する第２天面部４０ｂを有する。そして、第２天面部４０ｂの一部が、光源モジュール３０と平面視にて重なる位置に配置される。すなわち、当該構成を有する照明器具１００は、図７〜図８に示すように、電源４０が、光源モジュール３０とケース２０との間に配置され、かつ、光源モジュール３０と平面視にて重なる位置に配置されている。
【００３０】
次に、電源４０と同様に非常用点灯装置４２も、ケース２０内において、光源モジュール３０と平面視で重なる位置に配置することを検討する。非常用点灯装置４２は、非常時又は点検時において、光源モジュール３０に電力を供給する電源装置である。非常用点灯装置４２は、直方体状に形成されている。非常用点灯装置４２は、非常用点灯装置４２が配置されるケース底面部２２と垂直な方向（Ｚ軸方向）において、ケース底面部２２から最も離れた面を構成する第１天面部４２ａを有する。また、非常用点灯装置４２は、第１天面部４２ａの周囲に形成され、ケース底面部２２と垂直な方向において（Ｚ軸方向）、ケース底面部２２と第１天面部４２ａとの間に位置する第２天面部４２ｂを有する。さらに、非常用点灯装置４２は、ケース底面部２２と垂直な方向（Ｚ軸方向）に延設され、ケース底面部２２と第２天面部４２ｂとの間に位置し、非常用点灯装置４２の側壁を構成する電源側壁部４２ｃを有する。照明器具１００は、図７に示すように、ケース底面部２２と垂直な方向（Ｚ軸方向）において、ケース底面部２２からの非常用点灯装置４２の高さ（第１天面部４２ａの位置）が、光源モジュール３０の底面である押さえ板３３が位置する高さよりも低い。照明器具１００は、図８に示すように、光源支柱２４の断面積が、光源モジュール３０の占有面積と同じ面積を占める略円柱とせず、光源支柱２４の側壁部２４ａは、非常用点灯装置４２が挿入される箇所が少なくとも距離ｔ２分だけ凹んでいる。非常用点灯装置４２が挿入される箇所の、光源支柱２４の側壁部２４ａが少なくとも距離ｔ２分だけ凹んでおり、光源支柱２４の径が距離ｔ２分だけ細くされているため、非常用点灯装置４２は光源モジュール３０と平面視で重なる位置に配置される。
【００３１】
光源支柱２４は、図７及び図８に示すように、非常用点灯装置４２の一部が挿入される切り欠き部２４ｂが形成された側壁部２４ａを有する。光源支柱２４の側壁部２４ａに形成された距離ｔ２分の凹部は、切り欠き部２４ｂにより形成されている。非常用点灯装置４２は、第２天面部４２ｂの一部が、光源支柱２４の切り欠き部２４ｂに挿入されて配置されている。すなわち、当該構成を有する照明器具１００は、図７〜図８に示すように、非常用点灯装置４２が、光源モジュール３０とケース２０との間に配置され、かつ、光源モジュール３０と平面視にて重なる位置に配置されている。
【００３２】
光源モジュール３０のＬＥＤ３１は、発光時に発熱する。また、電源４０及び非常用点灯装置４２は、図９に示すように、内部にスイッチング素子などの発熱部品４０ｄ及び発熱部品４２ｄを有している。図９に示す点線は、電源４０及び非常用点灯装置４２の内部の、発熱部品４０ｄ及び発熱部品４２ｄの位置を示したものである。なお、図９に示す発熱部品４０ｄ及び発熱部品４２ｄの位置は例示であって、当該位置に限定されるものではない。発熱部品４０ｄ及び発熱部品４２ｄは、光源モジュール３０及び光源支柱２４とは平面視にて重ならない位置に配置されている。また、照明器具１００は、図９に示すように、光源モジュール３０が、平面視で円形状に形成されており、発熱部品４０ｄ及び発熱部品４２ｄが、光源支柱２４の側壁部２４ａから光源モジュール３０の半径Ｒ１の長さ以上に離して配置されている。
【００３３】
（照明器具１００の動作）
照明器具１００は、通常時には、外部から商用電源が供給され、電源端子台４３を介して点灯装置である電源４０、及び、非常用点灯装置４２に供給される。また、照明器具１００は、通常時には、電源４０が光源モジュール３０に電力を供給するとともに、非常用点灯装置４２がバッテリ４１をトリクル充電する。照明器具１００は、外部電源より商用電源を直接供給する配線により、通常時に光源モジュール３０を常時点灯する照明として照明器具１００を使用することができる。また、照明器具１００は、外部のスイッチを介して商用電源を供給する配線により、常時点灯とせず必要な時に点灯させる照明として照明器具１００を使用することもできる。
【００３４】
照明器具１００は、外部からの商用電源の供給が停止する非常時には、バッテリ４１内の直流電力が非常用点灯装置４２を介して光源モジュール３０に供給される。また、照明器具１００は、点検時には、点検者が点検スイッチ４５を操作することにより、バッテリ４１から非常用点灯装置４２を介して光源モジュール３０に直流電力が供給される。
【００３５】
照明器具１００は、点検者が点検スイッチ４５を操作した際の、点検モニタ４４のＬＥＤ表示により、バッテリ４１の充電状態を確認することができる。バッテリ４１が十分に充電されている場合、点検モニタ４４のＬＥＤが緑色に点灯する。本発明の実施の形態１に係る照明器具１００は、照明器具１００に外部から商用電源が４８時間以上供給されることにより、バッテリ４１は十分に充電され、点検モニタ４４のＬＥＤが点灯する。バッテリ４１が十分に充電されていない場合、点検モニタ４４のＬＥＤは非点灯となる。バッテリ４１が非常用点灯装置４２に電気的に接続されていない場合も、バッテリ４１への充電ができないことを表示するため、及び、バッテリ４１から光源モジュール３０への電力供給ができないことを表示するため、点検モニタ４４のＬＥＤは非点灯となる。
【００３６】
以上のように、照明器具１００は、電源４０及び非常用点灯装置４２が、光源モジュール３０とケース２０との間に配置され、かつ、光源モジュール３０と平面視にて重なる位置に配置されている。その結果、照明器具１００は、電源４０及び非常用点灯装置４２をケース２０の中央に配置しても、電源４０及び非常用点灯装置４２が光源モジュール３０に干渉せず、高さを抑えつつ、照明器具１００の径を小さくすることができる。また、照明器具１００は、ケース２０の外径を小さくしても、ケース２０内において、電源４０及び非常用点灯装置４２よりもケース２０の周縁側に、バッテリ４１を配置する空間を設けることができる。
【００３７】
また、照明器具１００は、光源支柱２４が、非常用点灯装置４２の一部が挿入される切り欠き部２４ｂが形成された側壁部２４ａを有する。そして、第２天面部４０ｂの一部が、光源支柱２４の切り欠き部２４ｂに挿入されて配置されている。すなわち、当該構成を有する照明器具１００は、非常用点灯装置４２が、光源モジュール３０とケース２０との間に配置され、かつ、光源モジュール３０と平面視にて重なる位置に配置されている。このように光源支柱２４の側壁部２４ａに切り欠き部２４ｂを設けることにより、非常用点灯装置４２が光源モジュール３０と平面視で重なる長さとなる距離ｔ２を長くできるとともに、ケース２０を成形しやすくしている。同様に、光源支柱２４の側壁部２４ａの電源４０か挿入される箇所に切り欠き部２４ｂが形成されていてもよい。光源支柱２４の側壁部２４ａの電源４０が挿入される箇所に切り欠き部２４ｂが形成されていることにより、電源４０が光源モジュール３０と平面視で重なる長さとなる距離ｔ１を長くすることができる。その結果、照明器具１００は、電源４０及び非常用点灯装置４２をケース２０の中央に配置しても、電源４０及び非常用点灯装置４２が光源モジュール３０に干渉せず、高さを抑えつつ、照明器具１００の径を小さくすることができる。
【００３８】
また、照明器具１００は、電源４０が、ケース底面部２２と垂直な方向において、ケース底面部２２から最も離れた面を構成する第１天面部４０ａを有する。また、照明器具１００は、電源４０が、第１天面部４０ａの周囲に形成され、ケース底面部２２と垂直な方向において、ケース底面部２２と第１天面部４０ａとの間に位置する第２天面部４０ｂを有する。また、照明器具１００は、非常用点灯装置４２が、ケース底面部２２と垂直な方向において、ケース底面部２２から最も離れた面を構成する第１天面部４２ａを有する。また、照明器具１００は、非常用点灯装置４２が、第１天面部４２ａの周囲に形成され、ケース底面部２２と垂直な方向において、ケース底面部２２と第１天面部４２ａとの間に位置する第２天面部４２ｂを有する。そして、第２天面部４０ｂ又は第２天面部４２ｂの一部が光源モジュール３０と平面視にて重なる位置に配置される。その結果、照明器具１００は、電源４０及び非常用点灯装置４２をケース２０の中央に寄せて配置しても、電源４０及び非常用点灯装置４２が光源モジュール３０に干渉せず、高さを抑えつつ、照明器具１００の径を小さくすることができる。
【００３９】
また、照明器具１００は、光源支柱２４の側壁部２４ａが、平面視で、円弧状に形成された曲面部２４ｃと直線状に形成された平板部２４ｄとを有している。また、電源４０は、光源支柱２４の平板部２４ｄと接するようにケース２０に取り付けられている。そして、電源４０は、第１天面部４０ａの周囲に形成され、ケース底面部２２と垂直な方向（Ｚ軸方向）において、ケース底面部２２と第１天面部４０ａとの間に位置する第２天面部４０ｂを有する。この第２天面部４０ｂの端縁部４０ｂ１は、ケース底面部２２と垂直な方向（Ｚ軸方向）において、ケース底面部２２の位置と、押さえ板３３の位置との間に位置する。そのため、電源４０は、光源モジュール３０とケース２０との間に配置され、かつ、光源モジュール３０と平面視にて重なる位置に配置することができる。その結果、照明器具１００は、光源モジュール３０の押さえ板３３以上の高さを有する電源４０をケース２０の中央に配置しても、電源４０が光源モジュール３０に干渉せず、照明器具１００の高さを抑えつつ、照明器具１００の径を小さくすることができる。
【００４０】
また、照明器具１００は、電源４０が、光源支柱２４の平板部２４ｄと接するようにケース２０に取り付けられている。照明器具１００は、光源支柱２４の側面を電源４０で保持することにより、光源支柱２４を光源モジュール３０より細くするとともにケース２０の剛性を上げることができる。
【００４１】
また、照明器具１００は、電源４０の第２天面部４０ｂ及び非常用点灯装置４２の第２天面部４２ｂは各々、ケース底面部２２に対して斜面を形成している。そのため、照明器具１００は、電源４０及び非常用点灯装置４２が、光源モジュール３０とケース２０との間に配置しやすくなり、かつ、光源モジュール３０と平面視にて重なる位置に配置しやすくなる。その結果、照明器具１００は、電源４０及び非常用点灯装置４２をケース２０の中央に寄せて配置しても、電源４０及び非常用点灯装置４２が光源モジュール３０に干渉せず、高さを抑えつつ、照明器具１００の径を小さくすることができる。
【００４２】
また、照明器具１００は、発熱部品４０ｄ及び発熱部品４２ｄが、光源モジュール３０及び光源支柱２４とは平面視にて重ならない位置に配置されている。このように電源４０及び非常用点灯装置４２が構成されていることにより、電源４０及び非常用点灯装置４２の熱が光源モジュール３０に伝わりにくくされている。あるいは、光源モジュール３０の熱が電源４０及び非常用点灯装置４２の発熱部品４０ｄ及び発熱部品４２ｄへ伝わりにくくされている。つまり、光源モジュール３０と、電源４０及び非常用点灯装置４２との発する熱が互いに干渉しにくくなる。
【００４３】
また、照明器具１００は、光源モジュール３０が、平面視で円形状に形成されており、発熱部品４０ｄ及び発熱部品４２ｄが、光源支柱２４の側壁部２４ａから光源モジュール３０の半径Ｒ１の長さ以上に離して配置されている。このように電源４０及び非常用点灯装置４２が構成されていることにより、電源４０及び非常用点灯装置４２の熱が光源モジュール３０に伝わりにくくされている。あるいは、光源モジュール３０の熱が電源４０及び非常用点灯装置４２の発熱部品４０ｄ及び発熱部品４２ｄへ伝わりにくくされている。つまり、光源モジュール３０と、電源４０及び非常用点灯装置４２との発する熱が互いに干渉しにくくなる。
【００４４】
なお、本発明の実施の形態は、上記実施の形態１に限定されず、種々の変更を加えることができる。たとえば、照明器具１００は、電源４０が平板部２４ｄと接している構成について記載しているが、非常用点灯装置４２が平板部２４ｄと接していてもよい。また、照明器具１００は、カバー１０に形成された雄ねじ１３が、ケース２０に形成された雌ねじ２３にねじ止めされることにより、カバー１０がケース２０に固定される態様について記載している。しかし、照明器具１００は、カバー１０に雌ねじが形成され、ケース２０に雄ねじが形成され、カバー１０に形成された雌ねじが、ケース２０に形成された雄ねじにねじ止めされることにより、カバー１０がケース２０に固定されてもよい。
【符号の説明】
【００４５】
１０  カバー、１１  カバー周壁部、１１ａ  端部、１１ｂ  端部、１２  カバー正面部、１３  雄ねじ、１４  カバーパッキン、２０  ケース、２１  ケース周壁部、２１ａ  端部、２１ｂ  端部、２２  ケース底面部、２３  雌ねじ、２４  光源支柱、２４ａ  側壁部、２４ｂ  切り欠き部、２４ｃ  曲面部、２４ｄ  平板部、２５  板支柱、２５ａ  基部、２５ｂ  ねじ止め部、２６  押さえ板支柱、３０  光源モジュール、３１  ＬＥＤ、３２  ソケット、３３  押さえ板、３３ａ  ねじ止め部、３４  光源カバー、４０  電源、４０ａ  第１天面部、４０ｂ  第２天面部、４０ｂ１  端縁部、４０ｃ  電源側壁部、４０ｄ  発熱部品、４１  バッテリ、４２  非常用点灯装置、４２ａ  第１天面部、４２ｂ  第２天面部、４２ｃ  電源側壁部、４２ｄ  発熱部品、４３  電源端子台、４４  点検モニタ、４５  点検スイッチ、５０  目隠し板、５０ａ  光源孔、５０ｂ  ねじ止め孔、５０ｃ  モニタ孔、５０ｄ  スイッチ孔、５０ｅ  切り欠き、５１  落下防止チェーン、１００  照明器具。
【図１】
2019102369.tif 000003
【図２】
2019102369.tif 000004
【図３】
2019102369.tif 000005
【図４】
2019102369.tif 000006
【図５】
2019102369.tif 000007
【図６】
2019102369.tif 000008
【図７】
2019102369.tif 000009
【図８】
2019102369.tif 000010
【図９】
2019102369.tif 000011